【手続補正書】
【提出日】令和1年9月17日(2019.9.17)
【手続補正１】
【補正対象書類名】明細書
【補正対象項目名】００１０
【補正方法】変更
【補正の内容】
【００１０】
本発明に係る電子計算機は、
第１入力数及び第２入力数をそれぞれ入力する入力部と、
前記入力部による前記第１入力数及び前記第２入力数の入力に応じて、前記第１入力数及び前記第２入力数に基づいた第１演算と、前記第１演算によって算出された第１値を用いた第２演算と、を含む演算処理を実行する演算処理部と、
前記演算処理部での前記演算処理によって算出された前記第１演算の解及び前記第２演算の解をまとめて表示する表示部と、
を有する。
【手続補正２】
【補正対象書類名】明細書
【補正対象項目名】００１１
【補正方法】変更
【補正の内容】
【００１１】
また、本発明に係る電子計算機は、
第１演算及び前記第１演算によって算出された第１値を用いた第２演算を含む演算処理を実行する演算処理部と、
前記第１演算を演算するために入力された第２入力数及び前記第１演算と前記第２演算とを演算するために入力された第１入力数を第１表示領域に表示するとともに、前記第１演算の解及び前記第２演算の解をそれぞれ、前記第１演算の第２入力数及び前記第２演算の第１入力数に対応する位置に配置された第２表示領域に表示する表示部と、
を有する。
【手続補正３】
【補正対象書類名】明細書
【補正対象項目名】００１２
【補正方法】変更
【補正の内容】
【００１２】
本発明に係る電子計算機の演算処理方法は、
第１入力数及び第２入力数を電子計算機の入力部に入力し、
前記入力部による前記第１入力数及び前記第２入力数の入力に応じて、前記第１入力数及び前記第２入力数に基づいた第１演算と、前記第１演算によって算出された第１値を用いた第２演算と、を含む演算処理を実行し、
前記電子計算機の表示部に、前記演算処理によって算出された前記第１演算の解及び前記第２演算の解をまとめて表示する。
【手続補正４】
【補正対象書類名】明細書
【補正対象項目名】００１３
【補正方法】変更
【補正の内容】
【００１３】
また、本発明に係る電子計算機の演算処理方法は、
第１演算及び前記第１演算によって算出された第１値を用いた第２演算を含む演算処理を実行し、
前記第１演算を演算するために入力された第２入力数及び前記第１演算と前記第２演算とを演算するために入力された第１入力数を第１表示領域に表示するとともに、前記第１演算の解及び前記第２演算の解をそれぞれ、前記第１演算の第２入力数及び前記第２演算の第１入力数に対応する位置に配置された第２表示領域に表示する。
【手続補正５】
【補正対象書類名】明細書
【補正対象項目名】００１４
【補正方法】変更
【補正の内容】
【００１４】
本発明は、
電子計算機のプログラムであって、
第１入力数及び第２入力数を前記電子計算機の入力部に入力するステップと、
前記入力部による前記第１入力数及び前記第２入力数の入力に応じて、前記第１入力数及び前記第２入力数に基づいた第１演算と、前記第１演算によって算出された第１値を用いた第２演算と、を含む演算処理を実行するステップと、
前記電子計算機の表示部に、前記演算処理によって算出された前記第１演算の解及び前記第２演算の解をまとめて表示するステップと、を実行させる。
【手続補正６】
【補正対象書類名】明細書
【補正対象項目名】００１５
【補正方法】変更
【補正の内容】
【００１５】
また、本発明は、
電子計算機のプログラムであって、
第１演算及び前記第１演算によって算出された第１値を用いた第２演算を含む演算処理を実行するステップと、
前記電子計算機の表示部に、前記第１演算を演算するために入力された第２入力数及び前記第１演算と前記第２演算とを演算するために入力された第１入力数を第１表示領域に表示するとともに、前記第１演算の解及び前記第２演算の解をそれぞれ、前記第１演算の第２入力数及び前記第２演算の第１入力数に対応する位置に配置された第２表示領域に表示するステップと、を実行させる。
【手続補正７】
【補正対象書類名】特許請求の範囲
【補正対象項目名】全文
【補正方法】変更
【補正の内容】
【特許請求の範囲】
【請求項１】
第１入力数及び第２入力数をそれぞれ入力する入力部と、
前記入力部による前記第１入力数及び前記第２入力数の入力に応じて、前記第１入力数及び前記第２入力数に基づいた第１演算と、前記第１演算によって算出された第１値を用いた第２演算と、を含む演算処理を実行する演算処理部と、
前記演算処理部での前記演算処理によって算出された前記第１演算の解及び前記第２演算の解をまとめて表示する表示部と、
を有する電子計算機。
【請求項２】
第１演算及び前記第１演算によって算出された第１値を用いた第２演算を含む演算処理を実行する演算処理部と、
前記第１演算を演算するために入力された第２入力数及び前記第１演算と前記第２演算とを演算するために入力された第１入力数を第１表示領域に表示するとともに、前記第１演算の解及び前記第２演算の解をそれぞれ、前記第１演算の第２入力数及び前記第２演算の第１入力数に対応する位置に配置された第２表示領域に表示する表示部と、
を有する電子計算機。
【請求項３】
前記第１入力数及び前記第２入力数は、それぞれ第１除数及び第２除数であり、
前記第１演算及び前記第２演算は、それぞれ第１除算及び第２除算であり、
前記第１値は、前記第１除算によって算出された第１剰余であり、
前記第１演算の解及び前記第２演算の解は、それぞれ前記第１除算の第１商及び前記第２除算の第２商である請求項１又は２に記載の電子計算機。
【請求項４】
前記表示部は、前記第２除算によって算出された第２剰余を表示する請求項３に記載の電子計算機。
【請求項５】
前記表示部は、前記第１除算に用いられる被除数を、前記第１除数及び前記第２除数とともに表示する請求項３に記載の電子計算機。
【請求項６】
前記表示部は、前記第１入力数及び前記第２入力数の間に、前記第１入力数及び前記第２入力数を区別する表記を表示する請求項１又は２に記載の電子計算機。
【請求項７】
前記演算処理部は、前記入力部に前記第１入力数及び前記第２入力数の両方が入力された後、前記第１演算及び前記第２演算の演算処理を実行する請求項１又は２に記載の電子計算機。
【請求項８】
前記表示部は、前記第２入力数及び前記第１入力数を第１表示領域に表示するとともに、前記第１演算の解及び前記第２演算の解をそれぞれ、前記第１演算の第２入力数及び前記第２演算の第１入力数に対応する位置に配置された第２表示領域に表示する請求項１記載の電子計算機。
【請求項９】
第１入力数及び第２入力数を電子計算機の入力部に入力し、
前記入力部による前記第１入力数及び前記第２入力数の入力に応じて、前記第１入力数及び前記第２入力数に基づいた第１演算と、前記第１演算によって算出された第１値を用いた第２演算と、を含む演算処理を実行し、
前記電子計算機の表示部に、前記演算処理によって算出された前記第１演算の解及び前記第２演算の解をまとめて表示する電子計算機の演算処理方法。
【請求項１０】
第１演算及び前記第１演算によって算出された第１値を用いた第２演算を含む演算処理を実行し、
前記第１演算を演算するために入力された第２入力数及び前記第１演算と前記第２演算とを演算するために入力された第１入力数を第１表示領域に表示するとともに、前記第１演算の解及び前記第２演算の解をそれぞれ、前記第１演算の第２入力数及び前記第２演算の第１入力数に対応する位置に配置された第２表示領域に表示する電子計算機の演算処理方法。
【請求項１１】
前記第１演算及び前記第２演算を含む演算処理は、前記入力部に前記第１入力数及び前記第２入力数の両方が入力された後に実行される請求項９又は１０に記載の電子計算機の演算処理方法。
【請求項１２】
電子計算機で実行されたとき、コンピュータに、
第１入力数及び第２入力数を前記電子計算機の入力部に入力するステップと、
前記入力部による前記第１入力数及び前記第２入力数の入力に応じて、前記第１入力数及び前記第２入力数に基づいた第１演算と、前記第１演算によって算出された第１値を用いた第２演算と、を含む演算処理を実行するステップと、
前記電子計算機の表示部に、前記演算処理によって算出された前記第１演算の解及び前記第２演算の解をまとめて表示するステップと、を実行させるプログラム。
【請求項１３】
電子計算機で実行されたとき、コンピュータに、
第１演算及び前記第１演算によって算出された第１値を用いた第２演算を含む演算処理を実行するステップと、
前記電子計算機の表示部に、前記第１演算を演算するために入力された第２入力数及び前記第１演算と前記第２演算とを演算するために入力された第１入力数を第１表示領域に表示するとともに、前記第１演算の解及び前記第２演算の解をそれぞれ、前記第１演算の第２入力数及び前記第２演算の第１入力数に対応する位置に配置された第２表示領域に表示するステップと、を実行させるプログラム。
【請求項１４】
前記第１演算及び前記第２演算を含む演算処理を実行するステップを、前記入力部に前記第１入力数及び前記第２入力数の両方が入力された後に実行させる、請求項１２又は１３に記載のプログラム。